【事件の表示】
　特許第３３５０３７１号「衛星通信制御方式」の請求項１、２に係る特許に対する特許異議の申立てについて、次のとおり決定する。
【結　論】
　訂正を認める。
　特許第３３５０３７１号の請求項１、２に係る特許を維持する。
【理　由】
１．手続の経緯
　
　特許第３３５０３７１号の請求項１及び２に係る発明についての出願は、平成８年１１月５日に特許出願され、平成１４年９月１３日にそれらの発明について特許権の設定登録がなされ、その後、その特許について、異議申立人佐藤義光より特許異議の申立てがなされ、取消しの理由が通知され、その指定期間内である平成１６年４月２日に訂正請求がなされたものである。
　
２．訂正の適否についての判断
　
（１）訂正の内容
　
　特許権者が求めている訂正の内容は、以下ａ、ｂのとおりである。
　
　ａ．「【請求項１】　一般電話網と接続可能な回線接続制御装置を有する親局と、発着呼等の回線接続制御可能な複数の子局から構成され、親局から各子局への下り回線には、ＴＤＭ回線を使用し、各子局から親局への上り回線には、スペクトラム拡散変調によるＣＤＭＡ回線を使用し、ＤＡＭＡ方式により回線接続制御を行う衛星通信制御方式において、
上記親局は、上記子局へＴＤＭ回線を介して、ＣＤＭＡ回線の回線空き情報を常時同報送信し、
子局からの発呼の場合、子局は、上記回線空き情報に基づいて、ＣＤＭＡ回線の空いている回線をＤＡＭＡ回線として使用して回線接続を行い、
回線接続後は、この回線を通話回線として使用することを特徴とする衛星通信制御方式。」を「【請求項１】　一般電話網と接続可能な回線接続制御装置を有する親局と、発着呼等の回線接続制御可能な複数の子局から構成され、親局から各子局への下り回線には、ＴＤＭ回線を使用し、各子局から親局への上り回線には、スペクトラム拡散変調によるＣＤＭＡ回線を使用し、ＤＡＭＡ方式により回線接続制御を行う衛星通信制御方式において、
上記親局は、上記子局へＴＤＭ回線を介して、ＣＤＭＡ回線の回線空き情報を基準フレームデータ中のデータとして同報送信し、
子局からの発呼の場合、子局は、上記回線空き情報に基づいて、ＣＤＭＡ回線の空いている回線をＤＡＭＡ回線として使用して回線接続を行い、
回線接続後は、この回線を通話回線として使用することを特徴とする衛星通信制御方式。」に訂正する。
　
　ｂ．「【請求項２】　一般電話網と接続可能な回線接続制御装置を有する親局と、発着呼等の回線接続制御可能な複数の子局から構成され、親局から各子局への下り回線には、ＴＤＭ回線を使用し、各子局から親局への上り回線には、スペクトラム拡散変調によるＣＤＭＡ回線を使用し、ＤＡＭＡ方式により回線接続制御を行う衛星通信制御方式において、
親局からの発呼の場合、親局は、着信子局に対し、確保したＴＤＭ回線の空きスロットを用いてＣＤＭＡ回線の割り当て番号を着信通知し、
ＴＤＭ回線により着信通知を受けた子局は、着信通知中のＣＤＭＡ回線の割り当て番号に該当するＣＤＭＡ回線をＤＡＭＡ回線として使用して回線接続を行い、
回線接続後は、この回線を通話回線として使用することを特徴とする衛星通信制御方式。」を「【請求項２】　一般電話網と接続可能な回線接続制御装置を有する親局と、発着呼等の回線接続制御可能な複数の子局から構成され、親局から各子局への下り回線には、ＴＤＭ回線を使用し、各子局から親局への上り回線には、スペクトラム拡散変調によるＣＤＭＡ回線を使用し、ＤＡＭＡ方式により回線接続制御を行う衛星通信制御方式において、
親局からの発呼の場合、親局は、ＴＤＭ回線から空きスロットを捜し、着信子局に対し、該空きスロットを用いてＣＤＭＡ回線の割り当て番号を着信通知し、
ＴＤＭ回線により着信通知を受けた子局は、着信通知中のＣＤＭＡ回線の割り当て番号に該当するＣＤＭＡ回線をＤＡＭＡ回線として使用して回線接続を行い、
回線接続後は、この回線を通話回線として使用することを特徴とする衛星通信制御方式。」に訂正する。
　
（２）訂正の目的の適否、新規事項の有無及び拡張・変更の存否
　
　上記ａの訂正事項に関連する記載として、願書に添付した明細書（以下、「特許明細書」という。）の発明の詳細な説明には「【００３５】親局１０００の回線割り当て制御部１２５０は、ＣＤＭＡ回線５０００の使用状況を常に監視し、空いている回線番号（回線１〜ｎ）を「ＤＡＭＡ制御回線空き情報」として登録し、ＴＤＭ回線４０００の基準フレームデータ中のデータとして「ＤＡＭＡ制御回線空き情報」を、子局２０００に同報伝送する。」と記載されていることから、「ＣＤＭＡ回線の回線空き情報を基準フレームデータ中のデータとして同報送信し」ていることは特許明細書に記載されているものと認める。
　そうすると、上記ａの訂正は、特許明細書に記載された事項の範囲において、「ＣＤＭＡ回線の回線空き情報を常時同報送信し」の技術的意味を明りょうにしたものであるから、明りょうでない記載の釈明を目的とするものであって、新規事項の追加に該当せず、また、実質上特許請求の範囲を拡張し、又は変更するものでもない。
　
　また、上記ｂの訂正事項に関連する記載として、特許明細書の発明の詳細な説明には「【００５８】［４．　親局からの発呼］
［４．１　親局の発呼処理］ＰＢＸ１３００から親局１０００のＤＡＭＡ制御装置１２００に発呼があった場合、親局１０００は、ＴＤＭ回線４０００及びＣＤＭＡ回線５０００から空きスロットを捜し、着信端末局対し、ＴＤＭ回線４０００の局制御フレームデータを用いて、通話回線の割り当て回線番号（ＣＤＭＡ回線割り当て番号ｉとＴＤＭ回線のスロット割り当て番号ｋ）を含む着信通知を送信する。」と記載されていることから、「親局からの発呼の場合、親局は、ＴＤＭ回線から空きスロットを捜し、着信子局に対し、該空きスロットを用いてＣＤＭＡ回線の割り当て番号を着信通知し」ていることは特許明細書に記載されているものと認める。
　そうすると、上記ｂの訂正は、特許明細書に記載された事項の範囲において、「確保したＴＤＭ回線の空きスロット」の技術的意味を明りょうにしたものであるから、明りょうでない記載の釈明を目的とするものであって、新規事項の追加に該当せず、また、実質上特許請求の範囲を拡張し、又は変更するものでもない。
　
（３）むすび
　
　以上のとおりであるから、上記訂正は、特許法第１２０条の４第２項、及び同条第３項において準用する第１２６条第２項から第４項の規定に適合するので、当該訂正を認める。
　
３．特許異議申立てについて
　
（１）申立ての概要
　
　異議申立人佐藤義光は、請求項１及び２に係る発明は、甲第１号証（研究実用化報告第３１巻第４号（１９８２）、７１５〜７３３頁）に記載された発明と同一であり、また甲第１号証に記載された発明に基づいて当業者が容易に想到できたものであるから、特許法第２９条第１項及び第２項の規定により、特許を受けることができないものであるから、特許を取り消すべきと主張している。
　
（２）本件発明
　
　上記２．で示したように上記訂正が認められるから、本件の請求項１及び２に係る発明（以下、「本件発明１、２」という。）は、上記訂正に係る訂正明細書の特許請求の範囲の請求項１及び２に記載された事項により特定されるとおりのものである。
　
（３）刊行物に記載されている発明
　
　異議申立人佐藤義光が提示した甲第１号証（研究実用化報告第３１巻第４号（１９８２）、７１５〜７３３頁）の刊行物には、一般電話網と接続可能な回線接続制御装置を有する親局と、発着呼等の回線接続制御可能な複数の子局から構成され、親局から各子局への下り回線には、ＴＤＭ回線を使用し、各子局から親局への上り回線には、スペクトラム拡散変調によるＣＤＭＡ回線を使用し、ＤＡＭＡ方式により回線接続制御を行う衛星通信制御方式について、以下のような発明が記載されている。
　
　７２１頁左欄３１行〜右欄１０行には、「親局は、すべての空きＴＤＭ回線に空線信号を送出し、子局からの発呼の場合、子局は、上記回線空情報に基づいて空きＴＤＭ回線を選択し、対応するＣＤＭＡ回線をＤＡＭＡ回線として使用して回線接続を行う発明」が、７２１頁左欄２６〜２８行には、「親局からの発呼の場合、親局は、Ｃ−ＣＨ（システム的にあらかじめ確保された下り制御回線）を用いて空きＴＤＭ回線の割り当て番号を着信通知し、子局は、着信通知中の空きＴＤＭ回線の割り当て番号に対応するＣＤＭＡ回線をＤＡＭＡ回線として使用して回線接続を行う発明」が記載されている。
　
（４）対比・判断
　
　本件発明１、２と上記刊行物に記載されている発明とを対比すると、上記刊行物に記載されている発明は、本件発明１を特定する事項である「親局は、ＣＤＭＡ回線の回線空き情報を基準フレームデータ中のデータとして同報送信し、子局からの発呼の場合、子局は、上記回線空き情報に基づいて、ＣＤＭＡ回線の空いている回線をＤＡＭＡ回線として使用して回線接続を行」う事項や本件発明２を特定する事項である「親局からの発呼の場合、親局は、ＴＤＭ回線から空きスロットを捜し、着信子局に対し、該空きスロットを用いてＣＤＭＡ回線の割り当て番号を着信通知し、子局は、着信通知中のＣＤＭＡ回線の割り当て番号に該当するＣＤＭＡ回線をＤＡＭＡ回線として使用して回線接続を行」う事項を備えておらず、本件発明１、２は上記刊行物に記載されている発明ではなく、また、上記刊行物には上記本件発明１、２を特定する事項のうち、回線空き情報を基準フレームデータ中のデータとして同報送信する点や親局からの発呼の場合、親局は、ＴＤＭ回線から空きスロットを捜し、着信子局に対し、該空きスロットを用いてＣＤＭＡ回線の割り当て番号を着信通知する点を示唆する記載もないから、上記刊行物に記載されている発明から容易に発明をすることができたものともいえない。
　
（５）むすび
　
　以上のとおりであるから、特許異議申立ての理由及び証拠によっては、本件請求項１及び２に係る特許を取り消すことができない。
　また、他に本件請求項１及び２に係る特許を取り消すべき理由を発見しない。
　よって、結論のとおり決定する。
【異議決定日】
平成１６年４月８日（２００４．４．８）
【訂正の要旨】
審決（決定）の【理由】欄参照。
（５４）【発明の名称】
衛星通信制御方式
（５７）【特許請求の範囲】
　【請求項１】　一般電話網と接続可能な回線接続制御装置を有する親局と、発着呼等の回線接続制御可能な複数の子局から構成され、親局から各子局への下り回線には、ＴＤＭ回線を使用し、各子局から親局への上り回線には、スペクトラム拡散変調によるＣＤＭＡ回線を使用し、ＤＡＭＡ方式により回線接続制御を行う衛星通信制御方式において、
　上記親局は、上記子局へＴＤＭ回線を介して、ＣＤＭＡ回線の回線空き情報を
基準フレームデータ中のデータとして同報送信し、
　子局からの発呼の場合、子局は、上記回線空き情報に基づいて、ＣＤＭＡ回線の空いている回線をＤＡＭＡ回線として使用して回線接続を行い、
　回線接続後は、この回線を通話回線として使用することを特徴とする衛星通信制御方式。
　【請求項２】　一般電話網と接続可能な回線接続制御装置を有する親局と、発着呼等の回線接続制御可能な複数の子局から構成され、親局から各子局への下り回線には、ＴＤＭ回線を使用し、各子局から親局への上り回線には、スペクトラム拡散変調によるＣＤＭＡ回線を使用し、ＤＡＭＡ方式により回線接続制御を行う衛星通信制御方式において、
　親局からの発呼の場合、親局は、
ＴＤＭ回線から空きスロットを捜し、着信子局に対し、該空きスロットを用いて
　ＴＤＭ回線により着信通知を受けた子局は、着信通知中のＣＤＭＡ回線の割り当て番号に該当するＣＤＭＡ回線をＤＡＭＡ回線として使用して回線接続を行い、
　回線接続後は、この回線を通話回線として使用することを特徴とする衛星通信制御方式。
【発明の詳細な説明】
　【０００１】
　【発明の属する技術分野】
　本発明は、衛星通信制御方式に係り、特に、スペクトラム拡散ＣＤＭＡ（符号分割多重アクセス：Ｃｏｄｅ　Ｄｉｖｉｓｉｏｎ　Ｍｕｌｔｉｐｌｅ　Ａｃｃｅｓｓ）方式を使用し、回線接続をＤＡＭＡ（要求割当多元接続：Ｄｅｍａｎｄ　Ａｓｓｉｇｎ　Ｍｕｌｔｉｐｌｅ　Ａｃｃｅｓｓ）方式によって行うに好適な衛星通信制御方式に関する。
　【０００２】
　【従来の技術】
　従来の衛星通信回線のＤＡＭＡ方式による回線割り当てについては、例えば、宮内他著「ディジタル衛星通信」（昭和６０年８月３０日）産業図書，ｐｐ．６１−６６に記載されているように、親局と子局の間でＤＡＭＡ制御回線を確立し、空き通話回線の割り当てなどの制御を行った後、その制御情報をもとに割り当てられた回線を通話回線として確立させるという手順でデマンドアサインを行っている。
　【０００３】
　【発明が解決しようとする課題】
　しかしながら、従来のＤＡＭＡ方式では、回線割り当てのためのＤＡＭＡ制御回線が常時確立されている必要がある。そして、デマンドアサイン時の回線割り当て手順として、制御回線による通話回線の割り当て後に、通話回線への切替制御が必要であるために、最終的な通話回線の確立には、ＤＡＭＡ制御回線と通話回線との切替制御の時間と、通話回線の同期確立のための待ち時間とが必要なため、回線の接続時間が増大するという問題があった。
　【０００４】
　本発明の目的は、通話回線の接続時間を短縮できるＤＡＭＡ方式による衛星通信制御方式を提供するにある。
　【０００５】
　【課題を解決するための手段】
　上記目的を達成するために、本発明は、一般電話網と接続可能な回線接続制御装置を有する親局と、発着呼等の回線接続制御可能な複数の子局から構成され、親局から各子局への下り回線には、ＴＤＭ回線を使用し、各子局から親局への上り回線には、スペクトラム拡散変調によるＣＤＭＡ回線を使用し、ＤＡＭＡ方式により回線接続制御を行う衛星通信制御方式において、上記親局は、上記子局へＴＤＭ回線を介して、ＣＤＭＡ回線の回線空き情報を
基準フレームデータ中のデータとして同報送信し、
　【０００６】
　上記目的を達成するために、本発明は、一般電話網と接続可能な回線接続制御装置を有する親局と、発着呼等の回線接続制御可能な複数の子局から構成され、親局から各子局への下り回線には、ＴＤＭ回線を使用し、各子局から親局への上り回線には、スペクトラム拡散変調によるＣＤＭＡ回線を使用し、ＤＡＭＡ方式により回線接続制御を行う衛星通信制御方式において、親局からの発呼の場合、親局は、
ＴＤＭ回線から空きスロットを捜し、着信子局に対し、該空きスロットを用いて
　【０００７】
　【発明の実施の形態】
　以下、図１〜図４を用いて、本発明の一実施形態による衛星通信制御方式について説明する。
　最初に、図１を用いて、本発明の一実施形態による衛星通信制御方式を用いる衛星通信システムの全体構成について説明する。
　図１は、本発明の一実施形態による衛星通信システムのブロック図である。
　【０００８】
　親局１０００は、アンテナを含む送受信装置１１００と、ＤＡＭＡ制御装置１２００と、電話網に接続されたＰＢＸ１３００とから構成されている。ＤＡＭＡ制御装置１２００の詳細な構成については、図２を用いて後述する。
　【０００９】
　また、子局群２０００は、Ｎ個の子局２０００−１，２０００−２，…，２０００−Ｎから構成されている。子局の構成は、それぞれ同じであり、それぞれ、アンテナを含む送受信装置２１００と、子局制御装置２２００から構成されている。子局制御装置２２００の詳細な構成については、図３を用いて後述する。
　【００１０】
　親局１０００から衛星３０００を介して子局２０００に接続される下り回線は、ＴＤＭ（時分割多重：Ｔｉｍｅ　Ｄｉｖｉｓｉｏｎ　Ｍｕｌｔｉｐｌｅ）回線４０００を使用しており、その回線数は、”１”である。また、子局２０００から衛星３０００を介して接続される親局１０００に接続される上り回線は、ＣＤＭＡ回線５０００を使用しており、その回線数は、”ｎ”である。ここで、回線数ｎは、子局２０００の総数Ｎよりも小さな数である。
　【００１１】
　本実施形態における特徴として、上り回線であるＣＤＭＡ回線５０００は、ＤＡＭＡ制御回線と通話回線を兼用するものであり、その詳細については、図４を用いて後述するが、ＤＡＭＡ制御回線と通話回線を兼用することにより、従来のような制御回線と通話回線の切替制御が不要となり、通話回線の接続時間を短縮できるようになるものである。
　【００１２】
　次に、図２を用いて、親局１０００の構成について説明する。
　図２は、本発明の一実施形態による衛星通信システムに用いる親局の構成を説明するブロック図である。
　【００１３】
　親局１０００は、衛星との電波の送受信を行う送受信装置１１００と、ＤＡＭＡ制御装置１２００と、電話網に接続されたＰＢＸ１３００とから構成されている。送受信装置１１００には、アンテナも含まれている。送受信装置１１００が受信する上り回線であるＣＤＭＡ回線５０００の回線数は、”ｎ”であり、送受信装置１１００から送信する下り回線であるＴＤＭ回線４０００の回線数は、”１”である。ＣＤＭＡ回線５０００は、ＤＡＭＡ制御回線と通話回線を兼用するようにしている。
　【００１４】
　次に、ＤＡＭＡ制御装置１２００の構成について以下に説明する。
　ＤＡＭＡ制御装置１２００は、ｎ個のＳＳ（スペクトラム拡散）復調器１２１０と、ｎ個の回線終端部１２２０と、ＴＤＭ多重部１２３０と、ＴＤＭ変調器１２４０と、回線割り当て制御部１２５０と、ＴＤＭ回線制御部１２６０とから構成されている。復調器１２１０及び回線終端部１２２０の個数は、ＣＤＭＡ回線の回線数ｎに等しくなっている。
　【００１５】
　ＣＤＭＡ回線を介して子局から送信されてきたデータは、ＳＳ変調されている。ＳＳ復調器１２１０は、送受信装置１１００によって受信したデータを、回線終端部１２２０からＳＳ復調器制御バス１２７０を介して設定された拡散符号に基づいて、受信データを復調する。
　【００１６】
　回線終端部１２２０は、ＳＳ復調器１２１０によって復調されたデータの中の制御フレームデータによる回線接続制御や、復調されたデータの中の通話フレームデータによる通話を確立する。回線終端部１２２０は、ＰＢＸ１３００とのインタフェース回路を内蔵しており、電話網との接続制御を行い、通話フレームデータをＰＢＸ１３００を介して電話網に伝送する。回線終端部１２２０は、回線割り当て制御部１２５０から設定された拡散符号をＳＳ復調器１２１０に設定する。また、回線終端部１２２０は、ＰＢＸ１３００を介して電話網から送られてきたデータを、ＴＤＭ多重部１２３０に出力する。
　【００１７】
　ＴＤＭ多重部１２３０は、複数の回線終端部１２２０から多重バス１２８０を介して送られてくる制御フレームデータや通話フレームデータや、ＴＤＭ回線制御部１２６０から送られてくる基準フレームデータを時分割多重して、ＴＤＭ変調器１２４０に出力する。
　【００１８】
　ＴＤＭ変調器１２４０は、ＴＤＭ多重部１２３０から出力される下り回線データを変調して、送受信装置１１００に出力する。送受信装置１１００は、ＴＤＭ変調されたデータをＴＤＭ回線４０００を介して子局に送信する。
　【００１９】
　回線割り当て制御部１２５０は、ＣＤＭＡ回線５０００の空き情報を監視し、回線割り当てを行う等の呼接続処理における回線管理を行うものである。回線割り当て制御部１２５０は、制御バス１２９０を介して、複数の回線終端部１２２０及びＴＤＭ回線制御部１２６０に接続されており、制御情報の送受を行うものである。
　【００２０】
　ＴＤＭ回線制御部１２６０は、回線割り当て制御部１２５０の制御により、上りＣＤＭＡ回線の空き情報等の子局への同報伝送データとなる基準フレームデータを生成する。
　【００２１】
　なお、親局１０００の各部の動作については、子局２０００の各部の動作と合わせて、図４を用いて後述する。
　【００２２】
　次に、図３を用いて、子局２０００の構成について説明する。
　図３は、本発明の一実施形態による衛星通信システムに用いる子局の構成を説明するブロック図である。
　【００２３】
　子局２０００は、衛星との電波の送受信を行う送受信装置２１００と、制御装置２２００と、ハンドセット２３００から構成されている。送受信装置２１００には、アンテナも含まれている。送受信装置２１００から送信するＣＤＭＡ回線５０００の回線数は、”１”であり、送受信装置２１００が受信するＴＤＭ回線４０００の回線数は、”１”である。ＣＤＭＡ回線５０００は、ＤＡＭＡ制御回線と通話回線を兼用するようにしている。ハンドセット２３００は、発着呼，ダイヤル，呼出音の送出等を行うマンマシンインタフェースである。
　【００２４】
　次に、制御装置２２００の構成について以下に説明する。
　制御装置２２００は、ＴＤＭ復調器２２１０と、受信制御部２２２０と、音声・データインタフェース部２２３０と、送信制御部２２４０と、子局回線制御部２２６０とから構成されている。
　【００２５】
　ＴＤＭ復調器２２１０は、送受信装置２１００によって受信したデータを復調する。受信制御部２２２０は、ＴＤＭ復調器２２１０によって復調されたＴＤＭ回線データから基準フレームデータとタイムスロット中の自局宛のデータを抽出する。自局宛のデータは、回線接続中は制御フレームデータであり、通話中は通話フレームデータである。ＴＤＭ復調器２２１０によって復調されたＴＤＭ回線データの中の基準フレームデータや制御フレームデータは、子局制御バス２２７０を介して、子局回線制御部２２６０に送られる。また、通話フレームデータは、音声・データインタフェース部２２３０に送られる。
　【００２６】
　音声・データインタフェース部２２３０は、受信制御部２２２０によって抽出された通話データをＤ／Ａ変換して、ハンドセット２３００に送り、また、ハンドセット２３００からの通話データをＡ／Ｄ変換して、送信制御部２２４０に送る。また、音声・データインタフェース部２２３０は、ハンドセット２３００の状態監視や制御を行うものである。さらに、音声・データインタフェース部２２３０は、子局回線制御部２２６０と制御情報の送受を行うものである。
　【００２７】
　子局回線制御部２２６０は、親局１０００からの受信データを受信制御部２２２０から受け取り、音声・データインタフェース部２２３０の状態をもとに、回線接続もしくは通話制御全般を行い、送信制御部２２４０へ拡散符号や送信データ等の設定、送信制御を行うものである。
　【００２８】
　送信制御部２２４０は、子局回線制御部２２６０から子局制御バス２２７０を介して指定された拡散符号を、ＳＳ変調器２２５０へ設定した後、子回線制御部２２６０から指定の送信データをＳＳ変調器２２５０へ出力する。送信データとしては、ハンドセット２３００から音声・データインタフェース部２２３０を介して送られてくる通話データや、子回線制御部２２６０から送られてくる制御データがある。
　【００２９】
　ＳＳ変調器２２５０は、送信制御部２２４０から送られてくる送信データを、ＳＳ変調器制御バス２２８０を介して設定される拡散符号を用いて、スペクトラム拡散変調する。
　【００３０】
　次に、図２〜図４を用いて、親局１０００と子局２０００の間に行われる回線接続の手順について説明する。
　図４は、本発明の一実施形態による衛星通信制御方式における回線接続の手順の説明図である。
　【００３１】
　図４において、親局１０００から子局２０００への下り通信回線であるＴＤＭ回線は、例えば、中心周波数ｆ０を用いており、回線数は、”１”である。また、子局２０００から親局１０００への上り通信回線であるＣＤＭＡ回線は、例えば、中心周波数ｆ１を用いている。ＴＤＭＡ回線を介して送信されるデータは、スペクトラム拡散変調されており、回線数は、”ｎ”である。
　【００３２】
　図４に示すように、時間Ｔ０においては、子局２０００−Ｋと親局１０００の間で通話回線が接続されており、子局２０００−Ｋは、ＣＤＭＡ回線５０００の中の回線ｎを用いて、親局１０００に通話データを送信しているものとする。従って、ＣＤＭＡ回線５０００の中で、回線１から回線ｎ−１の（ｎ−１）個の回線が使用されておらず、空いている状態とする。
　【００３３】
　ＴＤＭ回線４０００を介して送信されるデータは、フレーム単位で送信されており、１フレームは、ＤＡＭＡ制御装置１２００のＴＤＭ多重部１２３０によって時分割多重されており、（ｎ＋１）スロットで構成されている。１フレームの中のスロットは、スロット０には、ＴＤＭ回線制御部１２６０から送られてくる基準フレームデータがあり、スロット１〜スロットｎには、回線終端部１２２０から送られてくる制御データ若しくは通話データがある。
　【００３４】
［１．通常の送受信状態］
　親局１０００は、ＴＤＭ回線８を常時送信し、システム参加中の子局２０００−１〜２０００−ｎは、これを受信して時分割多重されたフレームの中からスロット０の基準フレームデータを検出することにより、フレーム同期と超フレーム同期を確立する。
　【００３５】
　親局１０００の回線割り当て制御部１２５０は、ＣＤＭＡ回線５０００の使用状況を常に監視し、空いている回線番号（回線１〜ｎ）を「ＤＡＭＡ制御回線空き情報」として登録し、ＴＤＭ回線４０００の基準フレームデータ中のデータとして「ＤＡＭＡ制御回線空き情報」を、子局２０００に同報伝送する。ここで、ＣＤＭＡ回線４０００の空いている回線とは、通話回線に割り当てられていない回線全てを意味するものとする。
　【００３６】
［２．子局からのシステム参加］
［２．１　子局からの送信処理］
　新たにシステム参加する子局は、ＴＤＭ回線４０００を受信して取得した「ＤＡＭＡ制御回線空き情報」をもとに、ＣＤＭＡ回線５０００上の自局の送信回線番号を設定し、それに対応する拡散符号を用いてシステム参加通知をバースト送信する。
　【００３７】
　図４に示した状態では、ＣＤＭＡ回線５０００の中の回線１〜回線（ｎ−１）が空いているので、新たにシステム参加する子局２０００ーＬは、例えば、ＣＤＭＡ回線５０００の中の回線１を用いて、「システム参加」の通知をする。回線番号の設定は、子局制御部２２００の子局回線制御部２２６０によって行われ、回線１に相当するスペクトラム拡散変調の拡散符号を拡送信制御部２２４０に設定することにより行われる。
　【００３８】
　「システム参加」の通知は、例えば、スロット付きアロハ方式により親局１０００へアクセスすることにより行われる。「システム参加」の通知は、例えば、時間Ｔ１に行われるとする。なお、ここで使用する空き回線は、回線２から回線（ｎ−１）の中のいずれであってもよいものである。
　【００３９】
　ここで、回線１は、子局２０００−Ｌから親局１０００に対するシステム参加の制御に用いられているため、ＤＡＭＡ制御回線として機能している。
　【００４０】
［２．２　親局の送受信処理］
　親局１０００は、ＣＤＭＡ回線５０００のＤＡＭＡ制御回線として機能している回線１から受信された子局からのシステム参加通知を取得すると、該当する子局の参加を登録する。
　即ち、親局１０００のＤＡＭＡ制御部１２００の回線割り当て制御部１２５０は、回線１に対する回線終端部１２２０を介して、子局からのシステム参加通知を取得すると、この子局２０００−Ｌに回線１を割り当てたことを登録する。
　【００４１】
　そして、親局１０００は、ＴＤＭ回線４０００の局制御フレームデータにより同子局に対してシステム参加応答を返信する。
　【００４２】
　即ち、回線割り当て制御部１２５０は、回線終端部１２２０に、「システム参加応答」の制御フレームを出力し、ＴＤＭ多重部１２３０においてＴＤＭ多重して、ＴＤＭ回線４０００から送信する。親局１０００は、スロット１〜スロットｎの中の空きスロットを用いて、制御フレームを出力する。ここで、スロットｈが、すでに、子局Ｋに割り当てられているとすると、親局１０００は、スロット１〜（ｈ−１），（ｈ＋１）からｎの中の任意のスロットを割り当てる。ここでは、例えば、図４に示すように、時間Ｔ２において送信されるフレームの中の局制御フレームの中の、例えば、スロットｊを割り当て、このスロットｊに、子局２０００−Ｌに対する「システム参加応答」の制御フレームがあるものとする。
　【００４３】
［２．３　子局の応答処理］
　システム参加通知をした子局２０００−Ｌは、ＴＤＭ回線４０００から送られてくる「システム参加応答」の制御フレームを受信することにより、発呼要求が可能となる。
　【００４４】
　呼が発生した子局は、基準フレームデータに含まれる「ＤＡＭＡ制御回線空き情報」をもとに、ＣＤＭＡ回線５０００上の自局送信回線番号１を設定し、それに対応する拡散符号を用いて、「発呼要求」を要求フレームデータとして、時間Ｔ３にバースト送信する。
　即ち、子局回線制御部２２６０は、回線１に相当するスペクトラム拡散変調の拡散符号を拡送信制御部２２４０に設定し、「発呼要求」を要求フレームデータとして、時間Ｔ３にバースト送信する。
　【００４５】
　この時点でも、回線１は、子局２０００−Ｌから親局１０００に対するシステム参加の制御に用いられているため、ＤＡＭＡ制御回線として機能している。
　【００４６】
［２．４　親局の応答処理］
　親局１０００は、ＣＤＭＡ回線５０００のＤＡＭＡ制御回線として機能している回線１から受信されたバースト信号から、「発呼要求」を取得すると、発呼要求に使用されたＣＤＭＡ回線５０００の回線番号１を通話回線として、回線割り当てテーブルを更新する。
　即ち、ＤＡＭＡ制御部１２００の回線割り当て制御部１２５０は、その内部の回線割り当てテーブルに、回線番号１を、子局２０００−１との通話回線として登録する。
　【００４７】
　そして、親局１０００は、発呼子局２０００−Ｌに対して、ＴＤＭ回線４０００の局制御フレームデータにより、通話回線の割り当て回線番号を含む「発呼確認応答」を送信する。ここで、通話回線の割り当て回線番号としては、ＣＤＭＡ回線５０００の割り当て回線番号１とＴＤＭ回線４０００の割り当てスロットｊが含まれている。図４に示すように、時間Ｔ４において送信されるフレームの中の局制御フレームの中の、例えば、スロットｊに「システム参加応答」の制御フレームがあるものとする。
　【００４８】
　同時に、親局１０００は、新たに通話回線となるＣＤＭＡ回線５０００の番号１を、「ＤＡＭＡ制御回線空き情報」から削除し、更新した「ＤＡＭＡ制御回線回線空き情報」を、ＴＤＭ回線４０００のスロット０の基準フレームデータにより送信する。
　【００４９】
　なお、親局１０００のＤＡＭＡ制御装置１２００は、子局から受信した要求フレームデータ中の発呼要求データから着信局ダイヤル情報を取得し、ＰＢＸ１３００（構内交換機）に対して、発呼通知及び選択信号を送出する。
　【００５０】
［２．５　子局から応答処理及び通話データ送信処理］
　ＴＤＭ回線４０００を介して「発呼確認応答」を受信した子局２０００−Ｌは、局制御フレームデータのスロットｊから自局に割り当てられた通話回線番号１を取得し、該当するＣＤＭＡ回線５０００の回線１を使用して、時間Ｔ５に「回線設定応答」を送信する。
　【００５１】
　以後、ＣＤＭＡ回線５０００の回線１とＴＤＭ回線４０００の割り当てられたスロットｊを通話回線として使用して、下り局通話フレームデータ、上り通話フレームデータの送受信を行うことで呼出音及び通話データの送受を行うことができる。即ち、この時点以降においては、ＣＤＭＡ回線５０００の回線１は、通話データ回線として機能することになる。
　【００５２】
　なお、この時点では、回線２〜回線（ｎ−１）までが空いているため、システム参加を希望する子局は、同様の送受信処理により、空いている回線を用いて通話データの送信を行えるようになる。
　【００５３】
　また、ＣＤＭＡ回線は、ＤＡＭＡ制御回線と通話データ回線として兼用するようにしているため、ＣＤＭＡ回線の回線数をｎとすると、全てのｎ回線を通話データ回線として使用することができる。従って、従来のように、専用のＤＡＭＡ制御回線を使用する場合に比べて、通話データの送信に使用できる回線数を１回線増やすことが可能となる。換言すると、回線の利用効率を向上することができるものである。
　【００５４】
　以上説明したように、ＣＤＭＡ回線を、ＤＡＭＡ制御回線と通話データ回線として兼用するようにし、最初にＤＡＭＡ制御回線として用いた回線を、そのまま通話データ回線として使用するようにしたため、従来に比べて、回線接続時間の短縮が可能となるものである。
　【００５５】
　即ち、従来は、ＤＡＭＡ制御回線と通話回線との切替制御が必要であったが、本実施形態においては、同一のＣＤＭＡ回線をそのまま用いて、単に、ＤＡＭＡ制御回線としての機能から通話回線としての機能に切替えるだけであるため、その制御に要する時間を短縮できる。
　【００５６】
　また、従来は、制御回線の確立と通話回線の確立という２回の同期確立が必要であったが、本実施形態においては、最初に制御回線としての同期確立を行うのみで済むため、同期確立に要する時間も短縮できる。
　【００５７】
［３．空き回線がない場合に親局の処理］
　トラフィックが増加し、ＤＡＭＡ制御回線として使用できるＣＤＭＡ回線５０００がなくなった場合、通話回線として使用されているＣＤＭＡ回線５０００に空きがでるまで、全子局に対して発信規制が行われる。即ち、上述したように、親局１０００の回線割り当て制御部１２５０は、ＣＤＭＡ回線５０００の使用状況を常に監視し、空いている回線番号（回線１〜ｎ）を「ＤＡＭＡ制御回線空き情報」として登録し、ＴＤＭ回線４０００の基準フレームデータ中のデータとして「ＤＡＭＡ制御回線空き情報」を、子局２０００に同報伝送している。従って、「ＤＡＭＡ制御回線空き情報」によって、空き回線がないことを伝送することにより、子局からの発信が行えないことになる。
　【００５８】
［４．　親局からの発呼］
［４．１　親局の発呼処理］
　ＰＢＸ１３００から親局１０００のＤＡＭＡ制御装置１２００に発呼があった場合、親局１０００は、ＴＤＭ回線４０００及びＣＤＭＡ回線５０００から空きスロットを捜し、着信端末局対し、ＴＤＭ回線４０００の局制御フレームデータを用いて、通話回線の割り当て回線番号（ＣＤＭＡ回線割り当て番号ｉとＴＤＭ回線のスロット割り当て番号ｋ）を含む着信通知を送信する。
　【００５９】
［４．２　親局からの発呼に対する子局の処理］
　ＴＤＭ回線４０００により着信通知を受信した子局では、局制御フレームデータから自局に割り当てられた通話回線番号ｉを取得し、該当するＣＤＭＡ回線５０００の中の回線ｉに「設定応答」を送信する。
　【００６０】
　以後、ＣＤＭＡ回線５０００の中の回線ｉとＴＤＭ回線に割り当てられたスロットｋを通話チャネルに使用して、下り局通話フレームデータと上り局通話データの送受信を行うことで、呼出通知、着呼応答、通話データの送受を行うことができる。
　【００６１】
　以上説明したように、本実施形態によれば、ＣＤＭＡ回線を、ＤＡＭＡ制御回線と通話デー回線として兼用するようにし、最初にＤＡＭＡ制御回線として用いた回線を、そのまま通話データ回線として使用するようにしたため、従来に比べて、回線接続時間の短縮が可能となるものである。
　【００６２】
　【発明の効果】
　本発明によれば、ＤＡＭＡ方式による衛星通信制御方式における通話回線の接続時間を短縮できるようになるものである。
【図面の簡単な説明】
　【図１】
　本発明の一実施形態による衛星通信システムのブロック図である。
　【図２】
　本発明の一実施形態による衛星通信システムに用いる親局の構成を説明するブロック図である。
　【図３】
　本発明の一実施形態による衛星通信システムに用いる子局の構成を説明するブロック図である。
　【図４】
　本発明の一実施形態による衛星通信制御方式における回線接続の手順の説明図である。
　【符号の説明】
　１０００…親局
　１１００…送受信装置
　１２００…ＤＡＭＡ制御装置
　１２１０…ＳＳ（スペクトラム拡散）復調器
　１２２０…回線終端部
　１２３０…ＴＤＭ多重部
　１２４０…ＴＤＭ変調器
　１２５０…回線割り当て制御部
　１２６０…ＴＤＭ回線制御部
　１２７０…ＳＳ復調器制御バス
　１２８０…多重バス
　１２９０…制御バス
　１３００…ＰＢＸ（構内交換機）
　２０００…子局
　２１００…子局送受信装置
　２２００…制御装置
　２２１０…ＴＤＭ復調器
　２２２０…受信制御部
　２２３０…音声・データインタフェース部
　２２４０…送信制御部
　２２５０…ＳＳ変調器
　２２６０…子局回線制御部
　２２７０…子局制御バス
　２２８０…ＳＳ変調器制御バス
　２３００…ハンドセット
　３０００…通信衛星
　４０００…ＴＤＭ回線
　５０００…ＣＤＭＡ回線
【図面】